(57)【要約】      （修正有）【課題】統合データパケットを両方向伝送することができる新規AVインターフェースが設けられたAV装置を提供する。【解決手段】AV装置はHDMI規格によるAVデータを含む第１信号を送信または受信して、統合データパケットを含む第２信号を送信及び受信することができる第１AVインターフェース部と、前記第１AVインターフェース部を通じて受信される信号を選択的に変換させることができる信号変換部と、前記第１AVインターフェース部を通じて受信される信号が前記第１信号または前記第２信号か可否を判断して、判断の結果による前記受信される信号をバイパスする又は他の信号に変換させるように前記信号変換部を制御する制御部を含む。【選択図】図３
2011217367.tif 000002
【特許請求の範囲】
【請求項１】
HDMI規格によるAVデータを含む第１信号を送信又は受信して、統合データパケットを含む第２信号を送信及び受信することができる第１AVインターフェース部と；
前記第１AVインターフェース部を通じて受信される信号を選択的に変換させることができる信号変換部と；
前記第１AVインターフェース部を通じて受信される信号が前記第１信号又は前記第２信号か可否を判断して、判断の結果による前記受信される信号をバイパスする又は他の信号に変換させるように前記信号変換部を制御する制御部を含むことを特徴とするAV装置。
【請求項２】
前記第１AVインターフェース部を通じて前記第１信号又は前記第２信号を転送する外部装置が接続されると、前記外部装置から所定範囲の大きさを持つ電源が供給されるか可否を検出して、前記電源の供給が検出される時はハイ信号を、検出されない時はロー信号を生成する信号生成部を更に含むことを特徴とする請求項１に記載のAV装置。
【請求項３】
前記制御部は、前記信号生成部から前記ハイ信号を受信すると、前記接続された外部装置から受信される信号が前記第１信号であると判断して、
前記信号生成部から前記ロー信号を受信すると、前記接続された外部装置から受信される信号が前記第２信号であると判断することを特徴とする請求項２に記載のAV装置。
【請求項４】
前記受信される信号を処理することができる信号処理部を更に含めて、
前記制御部は、前記判断の結果による前記受信される信号又は前記信号変換部によって変換された信号を処理するように前記信号処理部を制御することを特徴とする請求項３に記載のAV装置。
【請求項５】
第２AVインターフェース部を更に含めて、
前記制御部は、前記第２AVインターフェース部を通じて前記判断の結果による前記受信される信号をバイパスする又は前記信号変換部によって変換された信号を送信するように前記信号変換部を制御することを特徴とする請求項３に記載のAV装置。
【請求項６】
前記生成されたハイ信号又はロー信号の変更の有無及び前記変更時間を判断する比較部を更に含めて、
前記信号生成部は、前記比較部によって前記ハイ信号からロー信号に変更があって、前記変更が所定の時間範囲以内のことに判断されると、前記ハイ信号を維持して伝達することを特徴とする請求項２に記載のAV装置。
【請求項７】
前記第１AVインターフェース部は、HDMI規格によるケーブル又は前記統合データパケットの両方向転送が可能なリンクを含むケーブルが連結できることを特徴とする請求項１に記載のAV装置。
【請求項８】
前記リンクを通じて前記統合データパケットは時分割デュプレックス（time  division  duplex）又は空間分割デュプレックス(space  division  duplex)方法で送受信されることを特徴とする請求項７に記載のAV装置。
【請求項９】
前記統合データパケットは、
非圧縮ビデオデータパケット、非圧縮又は圧縮オーディオデータパケット、イーサネット（登録商標）データパケット、USBデータパケット及び他のデバイスの制御のため送受信される制御データパケットの中少なくともある一つを含むことを特徴とする請求項８に記載のAV装置。
【請求項１０】
AV装置のAVインターフェース部を通じて外部装置から受信される信号がHDMI規格よるAVデータを含む第１信号又は統合データパケットを含む第２信号か可否を判断する段階と；
前記AVインターフェース部は前記第１信号を送信又は受信して、前記第２信号を送信及び受信するようにする段階と；
を含むことを特徴とするAV装置の信号制御方法。
【請求項１１】
前記判断段階の判断の結果による前記受信される信号をバイパスする又は前記受信される信号を他の信号に変換させるように前記AV装置の信号変換部を制御する段階を更に含むことを特徴とする請求項１０に記載の信号制御方法。
【請求項１２】
前記外部装置から所定範囲の大きさを持つ電源が供給されるか可否を検出する段階と；
前記検出の結果によって、前記電源の供給が検出される場合はハイ信号を、検出されない場合はロー信号を信号生成部で生成する段階を更に含むことを特徴とする請求項１０に記載の信号制御方法。
【請求項１３】
前記判断段階は、前記信号生成段階で生成された信号がハイ信号である時、前記接続された外部装置から受信される信号が第１信号であると判断して、前記生成された信号がロー信号である時、前記接続された外部装置から受信される信号が第２信号であると判断することを特徴とする請求項１２に記載の信号制御方法。
【請求項１４】
前記判断の結果による前記受信される信号又は前記信号変換部によって変換された信号を信号処理部で処理する段階を更に含むことを特徴とする請求項１３に記載の信号制御方法。
【請求項１５】
前記判断の結果による前記受信される信号をバイパスする又は前記信号変換部によって変換された信号を第２AVインターフェース部を通じて送信する段階を更に含むことを特徴とする請求項１３に記載の信号制御方法。
【発明の詳細な説明】
【技術分野】
【０００１】
本発明は、AV装置及びその信号制御方法に関するものとして、より詳しくはHDMI規格によるAVデータを含む第１信号又は統合データパケットを含む第２信号を送受信することができるAVインターフェース部を含むAV装置及び前記AVインターフェース部を通じた信号の制御方法に関するものである。
【背景技術】
【０００２】
従来AV（Audio/Video）装置はDVI(digital  video/visual  interactive)規格又はHDMI(high-definition  multimedia  interface)規格によるAVデータを送信又は受信するために、DVIインターフェース又はHDMIインターフェースを具備している。前記DVIインターフェース又はHDMIインターフェースを通じてはAVデータを第１装置から第２装置に偏方向伝送だけが可能であった。
【発明の概要】
【発明が解決しようとする課題】
【０００３】
故に、本発明の目的は従来HDMI規格によるAVデータだけではなく本発明による統合でータパケットを両方向伝送することができる新規AVインターフェースが設けられたAV装置を提供しようとするのである。
【課題を解決するための手段】
【０００４】
前記目的は、本発明によって、AV(Audio/Video)装置にあって、HDMI規格によるAVデータを含む第１信号を送信又は受信して、統合データパケットを含む第２信号を送信及び受信することができる第１AVインターフェース部と；前記第１AVインターフェース部を通じて受信される信号を選択的に変換させることができる信号変換部と；前記第１AVインターフェース部を通じて受信される信号が前記第１信号又は前記第２信号かの可否を判断して、判断の結果による前記受信される信号をバイパスする又は他の信号に変換させるように前記信号変換部を制御する制御部を含むことを特徴とするAV装置によって達成することができる。
【０００５】
前記AV装置は、前記第１AVインターフェース部を通じて前記第１信号又は前記第２信号を転送する外部装置が接続されると、前記外部装置から所定範囲の大きさを持つ電源が供給されるか可否を検出して、前記電源の供給が検出される時はハイ信号を、検出されない時はロー信号を生成する信号生成部を更に含むことができる。
【０００６】
前記制御部は、前記信号生成部から前記ハイ信号を受信すると、前記接続された外部装置から受信される信号が前記第１信号であると判断して、前記信号生成部から前記ロー信号を受信すると、前記接続された外部装置から受信される信号が前記第２信号であると判断することができる。
【０００７】
前記AV装置は、前記受信される信号を処理することができる信号処理部を更に含めて、前記制御部は、前記判断の結果による前記受信される信号又は前記信号変換部によって変換された信号を処理するように前記信号処理部を制御することができる。
【０００８】
前記AV装置は、第２AVインターフェース部を更に含めて、前記制御部は、前記第２AVインターフェース部を通じて前記判断の結果による前記受信される信号をバイパスする又は前記信号変換部によって変換された信号を送信するように前記信号変換部を制御することができる。
【０００９】
前記AV装置は、前記生成されたハイ信号又はロー信号の変更の有無及び前記変更時間を判断する比較部を更に含めて、前記信号生成部は、前記比較部によって前記ハイ信号からロー信号への変更があって、前記変更が所定の時間範囲以内であると判断されると、前記ハイ信号を維持して伝達することができる。
【００１０】
ここで、前記第１AVインターフェース部は、HDMI規格によるケーブル又は前記統合データパケットの両方向転送が可能なリンクを含むケーブルが連結可能である。
【００１１】
ここで、前記リンクを通じて前記統合データパケットは時分割デュプレックス（time  division  duplex）又は空間分割デュプレックス(space  division  duplex)方法で送受信することができる。
【００１２】
ここで、前記統合データパケットは、非圧縮ビデオデータパケット、非圧縮又は圧縮オーディオデータパケット、イーサネット（登録商標）データパケット、USBデータパケット及び他のデバイスの制御のため送受信される制御データパケットの中少なくともある一つを含むことができる。
【００１３】
また、本発明の目的は、AV装置の信号制御の方法にあって、AV装置のAVインターフェース部を通じて外部装置から受信される信号がHDMI規格よるAVデータを含む第１信号又は統合データパケットを含む第２信号か可否を判断する段階と；前記AVインターフェース部は前記第１信号を送信又は受信して、前記第２信号を送信及び受信するようにする段階と；を含むことによって達成することができる。
【００１４】
前記信号制御方法は、前記判断段階の判断の結果による前記受信される信号をバイパスする又は前記受信される信号を他の信号に変換させるように前記AV装置の信号変換部を制御する段階を更に含むことができる。
【００１５】
前記信号制御方法は、前記外部装置から所定範囲の大きさを持つ電源が供給されるか可否を検出する段階と；前記検出の結果によって、前記電源の供給が検出される場合はハイ信号を、検出されない場合はロー信号を信号生成部で生成する段階を更に含むことができる。
【００１６】
ここで、前記判断段階は、前記信号生成段階で生成された信号がハイ信号の時、前記接続された外部装置から受信される信号が第１信号であると判断して、前記生成された信号がロー信号の時、前記接続された外部装置から受信される信号が第２信号であると判断することができる。
【００１７】
ここで、前記信号制御方法は、前記判断の結果による前記受信される信号又は前記信号変換部によって変換された信号を信号処理部で処理する段階を更に含むことができる。
【００１８】
ここで、前記信号制御方法は、前記判断の結果による前記受信される信号をバイパスする又は前記信号変換部によって変換された信号を第２AVインターフェース部を通じて送信する段階を更に含むことができる。
【発明の効果】
【００１９】
以上説明したように、本発明によると、既存HDMI規格による信号とともに本発明による統合データパケットを受信して、前記二つの信号を出力又は外部にバイパスしたり、又は前記二つの信号を相互変換して出力したり外部に送信することができるAV装置が提供される。
【図面の簡単な説明】
【００２０】
【図１】本発明の一実施例によるAV装置が複数の外部装置と連結されたネットワーク構造を図示する。
【図２ａ】本発明の一実施例によるAV装置のデータ受信の一例を図示する。
【図２ｂ】本発明の一実施例によるAV装置のデータ送信の一例を図示する。
【図２ｃ】本発明の一実施例によるAV装置のデータバイパスの一例を図示する。
【図３】本発明の一実施例によるAV装置の制御ブロック図である。
【図４ａ】本発明の一実施例によるAV装置に設けられるAVインターフェースの一例を図示する。
【図４ｂ】前記図４aによるAVインターフェース部に基いて成立されるリンクを図示する。
【図５ａ】本発明によるAV装置の信号制御を図示する。
【図５ｂ】本発明によるAV装置の信号制御を図示する。
【図５ｃ】本発明によるAV装置の信号制御を図示する。
【図６】本発明の一実施例によるAV装置の信号制御方法を図示したフローチャートである。
【発明を実施するための形態】
【００２１】
以下、添付した図面を参考として本発明の実施例に対して本発明が属する技術分野で通常の知識を持ったものが容易に実施することができるように詳しく説明する。本発明はいろいろ相違な形で具現されることができてここで説明する実施例に限らない。本発明を明確に説明するために説明と関係ない部分は省略して、明細書全体を通じて同一又は類似した構成要素に対しては同一な参照符号をつけるようにする。
【００２２】
図１は、本発明の一実施例によるAV装置が複数の外部装置と連結されたネットワーカ構造を図示している。
【００２３】
本発明の一実施例によるAV装置はオーディオ/ビデオ信号を処理することができるすべての装置を含むことができて、DTV、カメラ、キャムコーダ、デスクトップ・ラップトップ・スマートブック・ネットブックなど多様な種類を含むPC、プロジェクター、ゲームコンソール、DVD/BDプレーヤー、ホームシアター、セットトップボックスなどを含むことができる。
【００２４】
図１で、‘NIF’は統合データパケットの両方向伝送が可能なリンクを通じたデータの伝送を；‘HDMI'はHDMI規格によるAVデータの伝送を；‘USB’はUSB（Universal  Serial  Bus）規格によるデータの伝送を；‘Ethernet’はイーサネット（登録商標）規格によるデータの伝送を意味する。
【００２５】
本発明の一実施例によるAV装置はHDMI規格によるAVデータを含む第１信号又は統合データパケットを含む第２信号を送受信することができるAVインターフェース部を通じて複数の外部装置とネットワークを形成することができる。
【００２６】
つまり、前記AVインターフェース部は既存HDMI規格によるケーブルと統合データのパケットの両方向伝送が可能なリンクを含むケーブルのどこでも連結可能である。故に、本発明の一実施例によるAV装置は既存HDMIインターフェースを具備した外部装置から既存HDMIケーブルを通じてHDMI規格によるAVデータを含む第１信号をAVインターフェース部を通じて受信することができる。これによって、既存HDMIインターフェースだけを具備している外部装置ともネットワークを形成することができる。
【００２７】
図示されたように、本発明の一実施例によるAV装置は複数の部屋に存在する外部装置とAVインターフェースを通じて連結されてネットワークを構成することができる。ここで前記外部装置は本発明の一実施例によるAV装置及び既存HDMIインターフェースだけを具備した装置のすべてを含むことができる。
【００２８】
図示されたネットワーク構造にあって、本発明の一実施例によるAV装置はその遂行役割によってソース/リーフ（leaf）装置、ソース/スイッチ装置、スイッチ装置、シンク/スイッチ装置及びシンク/リーフ装置に区分することができる。
【００２９】
ソース/リーフ装置はAVデータの提供だけを遂行することができる装置として、部屋１のキャムコーダ２０１、セットトップボックス２１１;部屋２のゲームコンソール２０２、PC２１２；部屋３の携帯電話２０３;及び部屋４のセットトップボックス２０４を例に挙げることができる。
【００３０】
ソース/スイッチ装置はAVデータを提供するだけではなく他の装置にAVデータを中継することができる装置として、部屋１のAVレシーバー１０１、BDプレーヤー１２１を例に挙げることができる。
【００３１】
スイッチ装置はAVデータを受信して他の装置に中継だけを遂行することができる装置として、部屋２のスイッチ装置１１２；すべての部屋に位置した装置からAVデータを受信してすべての部屋に位置した装置に中継することができるホームスイッチ装置５０を例に挙げることができる。
【００３２】
シンク/スイッチ装置はAVデータを受信して再生することができるだけではなく他の装置に中継もできる装置として、部屋１のDTV１１１；部屋３のTV１０３；部屋４のDTV１１４を例に挙げることができる。
【００３３】
シンク/リーフ装置はAVデータを受信して再生だけを遂行することができる装置として、部屋２のDTV３０２を例に挙げることができる。
【００３４】
故に、本発明の一実施例によるAV装置はAVインターフェース部を通じてHDMI規格によるAVデータを含む第１信号又は統合データパケットを含む第２信号を受信することができる。AV装置は受信された信号をAV装置で再生したり、外部装置にバイパスすることができる。AV装置は受信された信号を変換して変換された信号をAV装置で再生したり外部装置にバイパスを遂行することができる。
【００３５】
図２を通じて本発明の一実施例によるAV装置を説明する。
【００３６】
図２aは本発明の一実施例によるAV装置のデータ受信の一例を図示している。
【００３７】
図示されたように、本発明の一実施例によるAV装置がAVインターフェース４１０を具備するDTV４００に具現される。この時、前記DTVはシンク/リーフ装置としての機能を遂行する。前記AVインターフェース４１０を通じてHDMIインターフェース５１０Aを含めている外部ソース装置５００AからHDMI規格によるAVデータを含む第１信号を受信することができる。この時、前記DTV４００は前記AVインターフェースを通じて受信したHDMI規格によるAVデータを含む第１信号を映像及び/又は音声信号処理して再生することができて、又は前記第１信号を統合データパケットを含む第２信号に変換して映像及び/又は音声信号処理して再生することもできる。
【００３８】
又は、前記DTV４００は前記AVインターフェース４１０を通じて前記AVインターフェース４１０に対応するAVインターフェース５１０Bを含む外部ソース装置５００Bから統合データパケットを含む第２信号を受信することができる。この時、前記DTV４００は前記AVインターフェースを通じて受信した前記第２信号を映像及び/又は音声信号処理して再生することができて、又は前記第２信号を前記第１信号に変換して映像及び/又は音声信号処理して再生することもできる。
【００３９】
図２bは本発明の一実施例によるAV装置のデータ送信の一例を図示している。
【００４０】
図示されたように、本発明の一実施例によるAV装置がAVインターフェース４１０を具備するDTV４００に具現される。この時、前記DTVはシンク/スイッチ装置として役割を遂行することができる。
【００４１】
図示されてないソースからHDMI規格によるAVデータを含む第１信号を受信した場合、前記DTV４００は前記AVインターフェース４１０を通じてHDMIインターフェース６１０Aを含めている外部ソース装置６００Aに前記第１信号をバイパスすることができる。
【００４２】
又は、前記DTV４００が前記AVインターフェース４１０を通じて前記AVインターフェース４１０に対応するAVインターフェース６１０Bを含む外部ソース装置６００Bと連結された場合、前記DTV４００は前記第１信号を統合データパケットを含む第２信号に変換した後送信することができる。
【００４３】
又は、図示されてないソースから統合データパケットを含む第２信号を受信した場合、前記AVインターフェース４１０を通じてHDMIインターフェース６１０Aを含めている外部シンク装置６００Aが連結される場合には前記第２信号を前記第１信号に変換した後送信することができる。
【００４４】
又は、前記DTV４００は前記AVインターフェース４１０を通じて前記AVインターフェース４１０に対応するAVインターフェース６１０Bを含む外部シンク装置６００Bと連結された場合には前記第２信号をバイパスすることができる。
【００４５】
図２cは本発明の一実施例によるAV装置のデータバイパスの一例を図示する。
【００４６】
図示されたように、本発明の一実施例によるAV装置が第１AVインターフェース８１０及び第２AVインターフェース８２０を具備するAVレシーバー８００に具現される。この時、前記AVレシーバーはソース/スイッチ装置として役割を遂行することができる。
【００４７】
AVレシーバー８００は前記第１AVインターフェース８１０を通じてHDMIインターフェース７１０Aを含めている外部ソース装置７００AからHDMI規格によるAVデータを含む第１信号を受信したり、前記AVインターフェース８１０に対応するAVインターフェース７１０Bを含む外部ソース装置７００Bから統合データパケットを含む第２信号を受信することができる。
【００４８】
AVレシーバー８００が前記第２AVインターフェース８２０を通じてHDMIインターフェース９１０Aを含めている外部シンク装置９００Aに連結された場合には、AVレシーバー８００は前記受信した第１信号は前記外部シンク装置９００Aにバイパスして、前記第２信号は前記受信した第１信号に変換した後に前記外部シンク装置９００Aに送信することができる。
【００４９】
又は、AVレシーバー８００が前記第２AVインターフェース８２０を通じて前記AVインターフェース８１０に対応するAVインターフェース９１０Bを含む外部シンク装置が９００Bが連結された場合には、AVレシーバー８００は前記受信した第１信号は前記第２信号に変換した後に前記外部シンク装置９００Bに送信して、前記受信した第２信号は前記外部シンク装置９００Bにバイパスすることができる。
【００５０】
故に、本発明の一実施例によるAV装置はHDMI規格によるAVデータを含む第１信号又は統合データパケットを含む第２信号を送受信することができるAVインターフェース部が設けられていて、複数の外部装置とネットワークを形成する場合信号の種類を制限せずに送受信が可能である。
【００５１】
図３は本発明の一実施例によるAV装置の制御ブロック図を図示している。
【００５２】
図示されたように、本発明の一実施例によるAV装置１はAVインターフェース部１０，１１；信号生成部２０；信号変換部３０；信号処理部４０；及びこれらの中少なくとも一つを制御する制御部５０を含む。
【００５３】
AVインターフェース部１０，１１はHDMI規格によるAVデータを含む第１信号又は統合データパケットを含む第２信号を外部装置２，３から/に送受信することができる。
【００５４】
前記外部装置２，３はAVデータを提供するソース装置と、AVデータを受信して再生するシンク装置の中少なくとも一つを含むことができる。
【００５５】
前記第１信号はHDMI１．０ないし１．４バージョンによるAVデータを含むことができる。故に、前記第１信号は前記HDMI１．０ないし１．４バージョン規格によるHDMIインターフェースを含む外部ソース装置が前記AVインターフェース部１０，１１に連結される場合に送受信されることができる。
【００５６】
前記第２信号は統合データパケットを含む信号として、前記AVインターフェース部１０，１１に前記統合データパケットの両方向伝送が可能なリンクを含むケーブルを通じて連結された外部ソース装置から/に送受信されることができる。
【００５７】
前記統合データパケットは、非圧縮ビデオデータパケット、非圧縮又は圧縮オーディオデータパケット、イーサネット（登録商標）データパケット、USBデータパケット及び他のデバイスの制御のため送受信される制御データパケットの中少なくともある一つを含むことができる、
【００５８】
故に、本発明の一実施例によるAV装置１は、外部からイーサネット（登録商標）データパケットを受信することができる受信部（未図示）と、USBデータパケットを受信することができるUSBインターフェース部（未図示）の中少なくとも一つを更に含むことができる。
【００５９】
前記AVインターフェース部１０，１１は下記図４で詳しく説明する。
【００６０】
信号生成部２０は、前記AVインターフェース部１０，１１を通じて前記第１信号又は前記第２信号を伝送する外部装置２、３が接続されると、前記外部装置２、３から所定範囲の大きさを持つ電源が供給されるか可否を検出して、前記電源の供給が検出される場合はハイ信号（又はロー信号）を、検出されない場合はロー信号（又はハイ信号）を生成することができる。
【００６１】
例えば、前記AVインターフェース部１０，１１を通じて前記第１信号又は第２信号を伝送する外部装置２、３が連結される場合、前記外部装置２、３から５V又は０Vの電源が供給されるか可否を検出することができる。前記外部装置２、３からの５V電源供給が検出されると、ハイ信号を生成して、前記外部装置２、３から０V電源供給が検出されると、ロー信号を生成することができる。
【００６２】
一般的にHDMI規格インターフェースは電源ピンを通じて５Vの電源が供給されるため、前記HDMI規格インターフェースを含む外部装置２、３が前記AVインターフェース部１０，１１を通じて連結されると、５Vが検出されて前記信号生成部２０はハイ信号を生成することができる。
【００６３】
また、前記AVインターフェース１０，１１の場合電源のピンを通じて０Vの電源が供給されるように設定することができて、故に前記AVインターフェース１０，１１に対応するAVインターフェースを含む外部装置２、３が連結される場合、０Vが検出されて前記信号生成部２０はロー信号を生成することができる。
【００６４】
これによって、前記信号生成部２０によって生成されたハイ信号又はロー信号は後述する制御部５０に伝達されて、制御部５０は伝達された信号がハイ信号である時前記AVインターフェース部１０，１１を通じて第１信号が受信されたことと判断して、前記伝達された信号がロー信号である時前記AVインターフェース部１０，１１を通じて第２信号が受信されたことと判断することができる。
【００６５】
比較部２１は前記生成されたハイ信号又はロー信号の変更有無及び前記変更時間を判断することができて、前記比較部２１は前記信号生成部２０に含まれることもある。
【００６６】
HDMI１．０ないし１．２バージョンの規格によるHDMIインターフェースは電源のピンを通じて５Vの電源を伝達されるようにすることができる。
【００６７】
しかし、HDMI１．３バージョン規格によるHDMIインターフェースはもっと高い電圧値を持つ電源が供給されることもあって、HDMI１．４バージョン規格によるHDMIインターフェースの場合にはHEAC機能スイング電圧値を持つ電源が供給されることもある。又はケーブルラインのグリッチ/ノイズ現象によって均一な大きさの電源供給ができなくなることもある。故に、こういう場合前記信号生成部２０で生成されたハイ信号/ロー信号が瞬間的に変更が生ずることもある。
【００６８】
こういう場合を防止するために、前記比較部２１は前記生成されたハイ信号又はロー信号が逆に変更があるか有無を判断する。つまり、一定の大きさではない電圧値を持つ電源の供給によって前記信号生成部２０がハイ信号/ロー信号を反復的に生成する場合、前記比較部２１はこれを判断することができる。
【００６９】
前記信号生成部２０によって生成されたハイ信号がロー信号に変更があると判断されると、前記比較部２１は前記信号の変更が既設定された所定時間の範囲内にあったか可否を判断する。前記信号の変更が既設定された所定の時間範囲内のことに判断されると、比較部２１はハイ信号に維持されて制御部５０に伝達されるようにすることができる。
【００７０】
前記信号の変更が既設定された所定の時間範囲を超過したことに判断されると、比較部２１はロー信号に維持されて制御部５０に伝達されるようにすることができる。
【００７１】
信号変換部３０は、制御部５０の制御によって前記第１信号又は前記第２信号を相互変換することができる。
【００７２】
前記第１信号はHDMI規格によるAVデータを含む信号で、前記第２信号は統合データパケットを含んでいる信号である。
【００７３】
ここで、前記統合データパケットは、非圧縮ビデオデータパケット、非圧縮又は圧縮オーディオデータパケット、イーサネット（登録商標）データパケット、USBデータパケット及び他のデバイスの制御のため送受信される制御データパケットの中少なくともある一つを含むことができる。故に、信号変換部は前記第１信号にイーサネット（登録商標）データパケット、USBデータパケット及び制御データパケットの中少なくともある一つを統合して第２信号を生成することができる。又は前記信号変換部は前記第２信号でビデオデータパケット及び/又はオーディオデータパケットを抽出することで第１信号を生成することができる。
【００７４】
信号処理部４０は前記AVインターフェース部１０，１１を通じて受信された第１信号又は第２信号を処理してAV装置１で出力されるようにすることができる。前記AVインターフェース１０，１１を通じて第１信号が受信される場合、前記第１信号はHDMI規格によるAVデータなので、前記信号処理部４０は一般的なビデオ及び/又はオーディオ信号に対して既設定された多様な映像/音声処理プロセスを遂行することができる。
【００７５】
また、前記AVインターフェース部１０，１１を通じて第２信号が受信される場合、統合データパケットからビデオ及び/又はオーディオデータを抽出して、前記抽出されたビデオ及び/又はオーディオ信号に対して既設定された多様な映像/音声処理プロセスを遂行することができる。
【００７６】
前記映像処理プロセスは、例えば、多様な映像フォーマットに対応するデコーディング（decoding）及びエンコード(encoding)、デーインタレーシング(de-interlacing)、フレームリフレッシュレート(frame  refresh  rate)変換、スケーリング(scaling)、映像画質改善のためのノイズ減少(noise  reduction)、ディテールエンハンスメント(detail  enhancement)、ラインスキャニング(line  scanning)などを含むことができる。前記プロセスは個別的又は複合的に遂行されることができる。
【００７７】
前記オーディオ処理プロセスは、例えば、アナログ音声信号のデジタル変換、オーディオ信号の増幅処理、オーディオ信号の出力レベル調停、オーディオ信号周波数補正などを含むことができる。前記プロセスは個別的又は複合的に遂行されることができる。
【００７８】
本発明の一実施例によるAV装置１は前記信号処理部４０によって処理されたビデオ信号に対応する映像を表示することができるディスプレー部（未図示）と、前記信号処理部４０によって処理されたオーディオ信号に対応するオーディオを出力することができるスピーカ（未図示）の中少なくとも一つを更に含むことができる。
【００７９】
制御部５０は、前記AVインターフェース部１０，１１に受信される信号が前記第１信号又は前記第２信号か可否を判断して、判断の結果による信号をバイパス又は他の信号に変換させるように前記信号変換部３０を制御することができる。
【００８０】
また、前記制御部５０は、前記判断の結果による信号又は前記信号変換部３０によって変換された信号を処理するように前記信号処理部４０を制御することができる。
【００８１】
また前記制御部５０は、前記AVインターフェース部１０を通じて受信された信号が前記第１信号又は第２信号か可否を判断して、前記第２AVインターフェース部１１を通じて前記判断の結果による信号をバイパス又は前記信号変換部によって変換された信号を送信することができる。
【００８２】
前記第１信号又は前記第２信号はターゲットデバイスに対した情報を含むことができる。故に、前記制御部５０は前記第１信号又は第２信号に含まれたターゲットデバイスに対した情報に基づいて前記受信された信号をAV装置１で出力するか又は外部に送信するかの可否を決定することができる。
【００８３】
また前記制御部５０はAV装置１が第１信号を処理することができるか又は第２信号を処理することができるか可否を判断することができて、前記判断の結果によって受信された信号を処理したり又は他の信号に変換して処理することができる。
【００８４】
図４aは本発明の一実施例によるAV装置に設けられるAVインターフェース部のピンマッピングの一例を図示している。
【００８５】
AVインターフェース部１０，１１は下位互換性（backward  compatibility）を保障するため既存HDMI規格によるHDMIインターフェースと同一なフォームファクター(form  factor)を共有することができる。
【００８６】
既存HDMI規格によるHDMIインターフェースの複数のピンの中一部又は全部を本発明によるAVインターフェース部１０，１１として利用することができる。
【００８７】
既存HDMI規格によるHDMIインターフェースの複数のピンの中一部を利用する例は、図４aで図示されたように、HDMI１９個のピンの中１番及び３番ピン１３を図４bと関連して後述するレーン１（L０）と利用して、４番及び６番ピン１５を後述するレーン２（L２）と利用して、７番及び９番ピン１７を後述するレーン３（L3）と利用して、１０番及び１２番ピン１９を後述するレーン4（L４）と利用することができる。各々のレーンで結ばれた２個のピンの中一つのピンはデータ伝送に利用して、余り一つのピンはデータ受信に利用するため各々のレーンはデータの両方向伝送が可能である。
【００８８】
故に、図示されたように本発明によるAVインターフェース部１０，１１は１番ピンないし１２番ピンを通じてAVデータを、１３番ピンを通じてCECを、１５番ピン及び１６番ピンを通じてEDIDデータを、１８番ピンを通じて電源を、１９番ピンを通じてホットプラグ検出(HPD)信号を送受信することができるように設けられていて、これは既存HDMI規格によるHDMIインターフェースの各ピンと同一なフォームファクターを共有することなので既存HDMI規格のコネクターが前記AVインターフェース部１０，１１に連結されることができて、HDMIデータが送受信されることができるのである。
【００８９】
既存HDMI規格によるHDMIインターフェースの複数のピンの中全部を利用する例は、既存HDMI規格によるHDMIインターフェースと等しい形態のフォト及びピン（pin）を利用してデバイスを連結するが、各々のピンが遂行する機能をHDMIと違えることによって両方向データ伝送に利用することができる。例えば、HDMIインターフェースの１９個のピンの中一部のピンを外部の統合データパケットの伝送に割り当てて、また他の一部ピンを外部からの統合データパケットの受信に割り当てることによって既存HDMI規格によるHDMIインターフェースを利用して両方向データ伝送を遂行することができる。
【００９０】
図４bは前記図４aによるAVインターフェース部に基づいて成立されるリンクを図示している。前記リンクは複数のレーンに基づいて成立される。各々のレーンはデバイスとデバイスの間の物理的な連結を表すものでTP（twisted  pair）に各々対応されることができる。前記複数のレーンの中一部はデータの送信に利用して、余りはデータの受信に利用することができる。
【００９１】
各々のレーンを通じて両方向データ通信ができる限り、前記リンクを通じて本発明による統合データパケットは時分割デュプレックス/空間分割デュプレックスを利用してデータの送信と受信を遂行することができる。
【００９２】
図５aないし図５cは本発明の一実施例によるAV装置の信号制御を図示している。
【００９３】
図５aは本発明の一実施例によるAV装置がHDMI規格によるAVデータを含む第１信号を再生することができたり送信することができる場合の例を図示している。
【００９４】
AVインターフェース１０を通じて外部ソース装置が接続されると、信号生成部２０で前記AVインターフェース部１０の１８番ピンから所定範囲の大きさを持つ電源が供給されるかの可否を検出する。
【００９５】
前記１８番ピンを通じて５Vの電源が検出されると、前記信号生成部２０はホットプラグ検出信号としてハイ信号を生成して、制御部５０に伝達する。
【００９６】
制御部５０は前記伝達されたハイ信号から前記AVインターフェース部１０から第１信号を受信したことを判断する。制御部５０は前記受信された第１信号のターゲットデバイスを判断して、AV装置１がターゲットデバイスであると判断されると、前記第１信号を信号処理部４０に伝達してAV装置１で前記第１信号が出力されるようにしたり、AV装置１がターゲットデバイスではないことと判断されると第２AVインターフェース部１１を通じて外部に前記第１信号を送信するようにする。
【００９７】
前記１８番ピンを通じて０Vの電源が検出されると、前記信号生成部２０はホットプラグ検出信号としてロー信号を生成して、制御部５０に伝達する。
【００９８】
制御部５０は前記伝達されたロー信号から前記AVインターフェース部１０から統合データパケットを含む第２信号の受信したことを判断する。制御部５０は前記受信された第２信号を第１信号に変換するように信号変換部３０を制御する。また、前記受信された信号のターゲットデバイスを判断して、AV装置１がターゲットデバイスであると判断されると前記信号変換部３０で変換された第１信号を信号処理部４０に伝達してAV装置１で前記第１信号が出力されるようにしたり、AV装置１がターゲットデバイスではないことに判断されると第２AVインターフェース部１１を通じて外部に前記第１信号を送信するようにする。
【００９９】
図５bは本発明の一実施例によるAV装置が統合データパケットを含む第２信号を再生することができたり送信することができる場合の例を図示している。
【０１００】
AVインターフェース部１０を通じて外部ソース装置が接続されると、信号生成部２０で前記AVインターフェース部１０の１８番ピンから所定範囲の大きさを持つ電源が供給されるかの可否を検出する。
【０１０１】
前記１８番ピンを通じて５Vの電源が検出されると、前記信号生成部２０はホットプラグ検出信号としてハイ信号を生成して、制御部５０に伝達する。
【０１０２】
制御部５０は前記伝達されたハイ信号から前記AVインターフェース部１０から第１信号の受信したことを判断する。制御部５０は前記受信された第１信号を第２信号に変換するように信号変換部３０を制御する。また、前記受信された信号のターゲットデバイスを判断して、AV装置１がターゲットデバイスであると判断されると、前記信号変換部３０で変換された第２信号を信号処理部４０に伝達してAV装置１で前記変換された第２信号が出力されるようにしたり、AV装置１がターゲットデバイスではないことに判断されると第２AVインターフェース部１１を通じて前記変換された第２信号を外部に送信するようにする。
【０１０３】
前記１８番ピンを通じて０Vの電源が検出されると、前記信号生成部２０はホットプラグ検出信号としてロー信号を生成して、制御部５０に伝達する。
【０１０４】
制御部５０は前記伝達されたロー信号から前記AVインターフェース部１０から統合データパケットを含む第２信号の受信したことを判断する。
【０１０５】
制御部５０は前記受信された信号のターゲットデバイスを判断して、AV装置１がターゲットデバイスであると判断されると、前記第２信号を信号処理部４０に伝達してAV装置１で前記第２信号が出力されるようにして、AV装置１がターゲットデバイスではないことに判断されると第２AVインターフェース部１１を通じて外部に前記第２信号を送信するようにする。
【０１０６】
図５cは本発明の一実施例によるAV装置が統合データパケットを含む第２信号を再生することができたり送信することができる場合の他の一例を図示している。
【０１０７】
図５bと違うところは比較部２１を更に含むAV装置の一例を表している。
【０１０８】
前記AVインターフェース部１０の前記１８番ピンを通じて一定な大きさの電源が検出されないで、HDMI１．３バージョンの規格によるhigh  voltageが検出されたりHDMI１．４バージョンの規格によるスイング電圧が検出されたり又はグリッチ/ノイズによって一定な大きさの電源が検出されない場合、比較部２１は前記一定ではない大きさの電源に対応して信号生成部２０で生成されたハイ信号/ロー信号の変更があるか有無を判断する。
【０１０９】
前記信号生成部２０によって生成されたハイ信号がロー信号に変更があると判断されると、前記比較部２１は前記信号の変更が既設定された所定時間の範囲内にあったかの可否を判断する。前記信号の変更が既設定された所定の時間範囲内のことに判断されると、比較部２１はハイ信号に維持されて制御部５０に伝達されるようにすることができる。
【０１１０】
前記信号の変更が既設定された所定の時間範囲を超過したことに判断されると、比較部２１はロー信号に維持されて制御部５０に伝達されるようにすることができる。
【０１１１】
前記ハイ信号/ロー信号が制御部５０に伝達された以後のプロセスは前記図５bで説明したことと同一なので、ここでは省略する。
【０１１２】
図６は本発明の一実施例によるAV装置の信号制御方法を図示したフローチャートである。
【０１１３】
AVインターフェース部１０，１１を通じた外部装置が接続されるとS11、前記外部装置から所定の大きさの電源が供給されるか可否を検出するS12。これは前記AVインターフェース部の１８番ピンを通じて供給される電源を検出することである。
【０１１４】
前記検出の結果によって、所定の大きさの電源が供給されると判断される場合信号生成部２０でハイ信号を生成して制御部５０に伝達して、所定の大きさの電源が供給されないと判断される場合信号生成部２０でロー信号を生成して制御部５０に伝達する。
【０１１５】
制御部５０はハイ信号を伝達されるとS１３、前記外部ソース装置からHDMI規格によるAVデータを含む第１信号が受信されたと判断して、前記第１信号をAV装置で再生したり、外部に送信することができ、又は前記第１信号を統合データパケットを含む第２信号に変換してAV装置で再生したり、外部に送信することができるS14。
【０１１６】
制御部５０はロー信号を伝達されるとS１３，前記外部ソース装置から統合データパケットを含む第２信号が受信されたと判断して、前記第２信号をAV装置で再生したり、外部に送信することができ、又は前記第２信号をHDMI規格によるAVデータを含む第１信号に変換してAV装置で再生さたり、外部に送信することができるS１５。
【０１１７】
本発明のいくつかの実施例が図示、説明されたが、本発明が属する技術分野の通常の知識を持つ当業者の場合、本発明の原則や精神から外れないで本実施例を変形することができるということがわかる。発明の範囲は添付された請求項とその均等物によって決められるのである。
【図１】
2011217367.tif 000003
【図２ａ】
2011217367.tif 000004
【図２ｂ】
2011217367.tif 000005
【図２ｃ】
2011217367.tif 000006
【図３】
2011217367.tif 000007
【図４ａ】
2011217367.tif 000008
【図４ｂ】
2011217367.tif 000009
【図５ａ】
2011217367.tif 000010
【図５ｂ】
2011217367.tif 000011
【図５ｃ】
2011217367.tif 000012
【図６】
2011217367.tif 000013